(57)【要約】【課題】専用工具等を必要とせず、簡単かつ確実にに組み付けることができる槽用温水口装置を提供する。【解決手段】本発明は、浴槽壁部の取付孔Ｈに貫通状態に設けられる浴槽用温水口装置を対象とする。本装置は、取付孔Ｈの浴槽外面側に配置される槽外取付具１と、前部が浴槽内面側に配置される態様に取付孔Ｈを通じて槽外取付具１にねじ込み固定される装置本体１０とを備える。装置本体１０の前部における外表面に、スクリュードライバー１１０を挿入係合し得るドライバー軸係合孔１００が設けられる。装置本体１０を槽外取付具１にねじ込む際に、係合孔１００にドライバー１１０を挿入して係合し、そのドライバー１１０を利用して、装置本体１０を軸心回り方向に回転させて槽外取付具１にねじ込む。【選択図】      図１０
2004333057.tif 000002
【特許請求の範囲】
【請求項１】
浴槽壁部の取付孔に貫通状態に設けられる浴槽用温水口装置であって、
取付孔の浴槽外面側に配置される槽外取付具と、
前部が浴槽内面側に配置される態様に取付孔を通じて前記槽外取付具にねじ込み固定される装置本体とを備え、
前記装置本体の前部における外表面に、汎用工具を挿入し、かつその挿入状態においては汎用工具を前記装置本体の軸心回り方向に係合するための汎用工具係合孔が設けられてなることを特徴とする浴槽用温水口装置。
【請求項２】
前記装置本体は、取付孔を通じて前記槽外取付具にねじ止め固定される槽内取付具と、その槽内取付具の前面側に取り付けられる流路形成部材とを具備し、
前記流路形成部材の前部が、前記装置本体の前部として構成されてなる請求項１記載の浴槽用温水口装置。
【請求項３】
前記装置本体の前部には、軸心回り方向に沿って外周壁が設けられ、その外周壁に前記汎用工具係合孔が形成されてなる請求項１又は２記載の浴槽用温水口装置。
【請求項４】
前記装置本体の前部には、軸心回り方向に沿って外周壁が設けられるとともに、その外周壁の前面側に蓋体が設けられ、
前記蓋体に前記汎用工具係合孔が形成されてなる請求項１又は２記載の浴槽用温水口装置。
【請求項５】
前記汎用工具係合孔は、スクリュードライバーのドライバー軸を係合し得るドライバー軸係合孔をもって構成されてなる請求項１ないし４のいずれかに記載の浴槽用温水口装置。
【請求項６】
前記ドライバー軸係合孔に、スクリュードライバーのドライバー軸を挿入係合した状態において、そのスクリュードライバーの把持部が浴槽内面から離間して配置されるよう構成されてなる請求項５記載の浴槽用温水口装置。
【請求項７】
前記汎用工具係合孔は、その軸心が前記装置本体の軸心に対し傾斜するよう設定されてなる請求項１ないし６のいずれかに記載の浴槽用温水口装置。
【請求項８】
浴槽壁部の取付孔に貫通状態に設けられる浴槽用温水口装置であって、
取付孔の浴槽外面側に配置される槽外取付具と、
前部が浴槽内面側に配置される態様に取付孔を通じて前記槽外取付具にねじ込み固定される装置本体とを備え、
前記装置本体の前部における外表面に、汎用工具を前記装置本体の軸心回り方向に係合するための汎用工具係合部が設けられてなることを特徴とする浴槽用温水口装置。
【発明の詳細な説明】
【０００１】
【発明の属する技術分野】
この発明は、浴槽壁部に設けられ、浴槽に対し温水の吐出や吸込を行うための浴槽用温水口装置に関する。
【０００２】
【従来の技術】
従来、浴槽と給湯機とが配管接続されて、貯湯処理や追い焚き処理を行うようにした浴槽システムが周知である。この浴槽システムにおいては、浴槽の側壁に貫通状態に温水口装置が取り付けられるとともに、この装置と室外の給湯機とが配管接続されている。そして、貯湯時には、給湯機から供給された温水を温水口装置を介して浴槽内に導入するとともに、追い焚き時には、槽内の温水を温水口装置から吸い込んで給湯機に送り込み、そこで再加熱した後、槽内に戻すようにしている。
【０００３】
このような浴槽システムに用いられる温水口装置としては、例えば下記特許文献１に示すように、浴槽外面側に取り付けられる槽外取付具と、浴槽内面側から取り付けられる装置本体とを備えるものが周知である。更に装置本体は、浴槽内面側から取り付けられる鍔付き筒状の槽内取付具や、槽内取付具の鍔部にビス止め固定される流路形成部材等を備えている。そしてこの温水口装置を浴槽に組み付ける場合には、例えば、浴槽の側壁外面側における取付孔に対応する位置に、槽外取付具を配置しておき、槽内取付具の筒体を、浴槽の内側から取付孔に挿通して槽外取付具にねじ込んで固定する。その後、槽内取付具に流路形成部材をビス止めにより固定して、その流路形成部材の露出部（前部）を覆うようにフィルター部材を装着するものである。
【０００４】
【特許文献１】
特開平１０−４７７８３号
【０００５】
【発明が解決しようとする課題】
ところで、上記のような従来の浴槽用温水口装置においては、槽内取付具を槽外取付具にねじ込み固定する際に、槽内取付具の筒孔内に、専用のねじ込み操作用治具を挿入係合して、その治具を介して槽内取付具を槽外取付具に対しねじ込み固定するものである。このように専用のねじ込み操作用治具を用いるものであるため、専用治具の準備や使用方法に余分な労力が費やされて、組付作業が困難であるという問題があった。
【０００６】
更に従来の浴槽用温水口装置においては、槽内取付具を浴槽壁面に組み付けた後、その槽内取付具に、複数のビスを用いて流路形成部材を固定するものであるため、流路形成部材のビス止め作業を、浴槽内における取付孔周辺の限られた狭いスペース内で行う必要がある。このため、このビス止め作業を、窮屈な状態で行わねばならず、作業者にとって多大な負担となり、より一層組付作業が困難になるという問題があった。
【０００７】
この発明は、上記従来技術の問題を解消し、専用工具等を必要とせず、簡単かつ確実に組み付けることができる浴槽用温水口装置を提供することを目的とする。
【０００８】
【課題を解決するための手段】
上記目的を達成するため、本第１発明は、浴槽壁部の取付孔に貫通状態に設けられる浴槽用温水口装置であって、取付孔の浴槽外面側に配置される槽外取付具と、前部が浴槽内面側に配置される態様に取付孔を通じて前記槽外取付具にねじ込み固定される装置本体とを備え、前記装置本体の前部における外表面に、汎用工具を挿入し、かつその挿入状態においては汎用工具を前記装置本体の軸心回り方向に係合するための汎用工具係合孔が設けられてなるものを要旨としている。
【０００９】
この発明の浴槽用温水口装置においては、装置本体の前部に汎用工具係合孔を形成するものであるため、装置本体を浴槽壁部の取付孔を通じて槽外取付具にねじ込む際に、装置本体の汎用工具係合孔にスクリュードライバー等の汎用工具を挿入係合し、その汎用工具を利用して装置本体を槽外取付具にねじ込むことにより、専用の工具を用いずに、装置本体を強固に確実に組み付けることができる。従って、専用工具の準備や使用方法等に余分な労力を費やす必要がなく、組付作業を効率良く簡単に行うことができる。
【００１０】
本発明において、前記装置本体は、取付孔を通じて前記槽外取付具にねじ止め固定される槽内取付具と、その槽内取付具の前面側に取り付けられる流路形成部材とを具備し、前記流路形成部材の前部が、前記装置本体の前部として構成されてなるものを好適に採用することができる。
【００１１】
この場合には、流路形成部材を槽内取付具に取り付けて、装置本体を組み立てた後、その装置本体を槽外取付具にねじ込んで固定することができるので、例えば従来のように、槽内取付具を槽外取付具にねじ込み固定した後、その槽内取付具に流路形成部材を取り付ける場合と比較して、組付作業をより一層効率良く行うことができる。すなわち従来のように、浴槽壁面に取り付けられた槽内取付具に流路形成部材を取り付ける場合には、その取付作業を浴槽内における狭いスペース内で行う必要があり、作業者にとって多大な負担を強いられて、組付作業を効率良く行うことが困難である。これに対し、本発明のように、流路形成部材を槽内取付具に取り付けて装置本体を組み立てた後、その装置本体を槽外取付具にねじ込む場合には、装置本体の組立作業を、現場（浴槽内）以外の適当な場所で余裕を持って行うことができ、組付作業を効率良くスムーズに行うことができる。
【００１２】
本発明においては、前記装置本体の前部には、軸心回り方向に沿って外周壁が設けられ、その外周壁に前記汎用工具係合孔が形成されてなる構成を好適に採用することができる。
【００１３】
更に本発明においては、前記装置本体の前部には、軸心回り方向に沿って外周壁が設けられるとともに、その外周壁の前面側に蓋体が設けられ、前記蓋体に前記汎用工具係合孔が形成されてなる構成を好適に採用することができる。
【００１４】
また本発明において、前記汎用工具係合孔は、スクリュードライバーのドライバー軸を係合し得るドライバー軸係合孔をもって構成されてなるものを採用するのが好ましい。
【００１５】
すなわちこの場合には、スクリュードライバー等の汎用工具を用いて、温水口装置を確実に組み付けることができる。
【００１６】
更に本発明においては、前記ドライバー軸係合孔に、スクリュードライバーのドライバー軸を挿入係合した状態において、そのスクリュードライバーの把持部が浴槽内面から離間して配置されるよう構成されてなるものを採用するのが望ましい。
【００１７】
すなわちこの場合には、ドライバーの把持部が浴槽内面から離間して配置されるため、例えばドライバーの把持部を手で持って、ドライバー及び装置本体をねじ込み操作する際に、作業者の手が浴槽内壁面に干渉するような不具合を有効に防止することができ、なお一層、効率良くスムーズに装置本体のねじ込み作業を行うことができる。
【００１８】
また本発明においては、前記汎用工具係合孔は、その軸心が前記装置本体の軸心に対し傾斜するよう設定されてなる構成を採用するのが、より一層好ましい。
【００１９】
すなわちこの構成を作業する場合には、汎用工具と浴槽内壁面との間に、確実に回転操作用の作業スペースを確保することができる。
【００２０】
一方、上記目的を達成するため、本第２の発明は、浴槽壁部の取付孔に貫通状態に設けられる浴槽用温水口装置であって、取付孔の浴槽外面側に配置される槽外取付具と、前部が浴槽内面側に配置される態様に取付孔を通じて前記槽外取付具にねじ込み固定される装置本体とを備え、前記装置本体の前部における外表面に、汎用工具を前記装置本体の軸心回り方向に係合するための汎用工具係合部が設けられてなるものを要旨としている。
【００２１】
この第２発明においても、上記第１発明と同様に、汎用工具係合部にスクリュードライバー等の汎用工具を係合し、その汎用工具を利用して装置本体を槽外取付具にねじ込むことにより、専用の工具を用いずに、装置本体を強固に確実に組み付けることができる。
【００２２】
【発明の実施の形態】
図１ないし図３はこの発明の実施形態である浴槽用温水口装置（Ｐ）を示す図である。これらの図に示すように、この実施形態の温水口装置（Ｐ）は、浴槽（Ｔ）の側壁に設けられた取付孔（Ｈ）に取り付けられるものであって、浴槽（Ｔ）の外部に設けられた給湯機から供給される温水を浴槽（Ｔ）内に供給して、湯はり等の貯湯処理を行うことができる。更に浴槽（Ｔ）内の温水を吸い込んで給湯機に送り、そこで再加熱して、その高温の温水を浴槽（Ｔ）に戻して、追い焚き等の強制循環処理を行うこともできる。
【００２３】
なお、この温水口装置（Ｐ）は、この装置（Ｐ）が備える２つの外管接続部（１ａ）（１ｂ）に対して、給湯機につながる往き管及び戻り管のどちらを接続しても使用可能な、いわゆる無極性タイプのものである。
【００２４】
図１ないし図３に示すように、本実施形態の温水口装置（Ｐ）は、槽外取付具（１）と、装置本体（１０）と、フィルター部材（９）とを基本的な構成要素として備え、更に装置本体（１０）は、槽内取付具（２）と、流路形成部材（３）とを備えている。
【００２５】
槽外取付具（１）は、一端側（前面側）が開放され、かつ他端側（後面側）が閉塞された円筒形状の外筒体（１２）と、その外筒体（１２）の内部に同軸心上に配置される円筒形状の内筒体（１１）と、外筒体（１２）の一端外周に設けられた平板リング状のフランジ（１５）と、外筒体（１２）の他端閉塞壁に設けられ、かつ軸心方向に沿って他端側に延びる管状の第１及び第２外管接続部（１ａ）（１ｂ）とを一体に有する金属製品をもって構成されている
内筒体（１１）の内側空間は、第１流路（Ａ）の一部として構成されるとともに、内筒体（１１）及び外筒体（１２）との間の空間は、第２流路（Ｂ）の一部として構成されており、上記第１外管接続部（１ａ）が第１流路（Ａ）に連通されるとともに、第２外管接続部（１ｂ）が第２流路（Ｂ）に連通されている。
【００２６】
更に外筒体（１１）の一端側内周面には、雌ねじ（１４）が刻設されている。
【００２７】
また内筒体（１１）の内周面前端部には、合成ゴム製のオーリング（８１）が収容配置される。
【００２８】
槽外取付具（１）のフランジ（１５）に設けられるリング状の合成ゴム製被覆パッキン（８２）は、その内周面に沿って嵌合溝（８２ａ）が形成されている。そして、この被覆パッキン（８２）が、その嵌合溝（８２ａ）をフランジ（１５）に嵌め込むことにより、フランジ（１５）の外周面ほぼ全域を被覆した状態で密着固定される。
【００２９】
更に被覆パッキン（８２）の前面側は、厚板状に形成されて、パッキン本体（８２ｂ）として構成されるとともに、そのパッキン本体（８２ｂ）の表裏面には、周方向に連続する複数の密着用突条リブ（８２ｃ）が一体に形成されている。
【００３０】
図１ないし図４に示すように、装置本体（１０）の槽内取付具（２）は、両端が開放された円筒形状の筒体（２１）と、その筒体（２１）の一端外周に設けられた平板リング状のフランジ（２５）とを一体に有するポリアセテート樹脂等からなる鍔付き円筒形状の硬質合成樹脂成形品をもって構成されている。
【００３１】
筒体（２１）は、外周面に雄ねじ（２４）が刻設されており、その雄ねじ（２４）及び上記雌ねじ（１４）を介して、上記槽外取付具（１）における外筒体（１２）の筒孔内に螺着できるよう構成されている。
【００３２】
更にフランジ（２５）の前面側には、複数の円柱形のビス受け用ボス（２６）が周方向に沿って所定の間隔おきに一体に形成されている（図３参照）。
【００３３】
また図４及び図５に示すように、フランジ（２５）の後面側には、互いに平行な２本の突条リブ（２０）が周方向に連続して一体に形成されている。各リブ（２０）は、断面山型形状で先端側が先細に形成されている。
【００３４】
槽内取付具（２）と浴槽（Ｔ）の内壁との間に介在される弾性パッキン（８３）は、フランジ（２５）の形状に対応する平板リング状の合成ゴム成形品をもって構成されている。
【００３５】
更にフランジ（２５）とパッキン（８３）との間に介在される緩衝部材（８４）は、フランジ（２５）の形状に対応する平板リング状に形成されている。この緩衝部材（８４）は、軟質性ないしは弾力性を有するポリエチレン樹脂等の軟質合成樹脂の成形品をもって構成されている。
【００３６】
そして、上記槽外取付具（１）のフランジ（１５）が、浴槽（Ｔ）の外壁面における取付孔（Ｈ）の周縁部に沿うように配置された状態で、槽内取付具（２）のフランジ（１５）が、緩衝部材（８４）及びパッキン（８３）を介して浴槽内壁面における取付孔（Ｈ）の周縁部に圧接されるようにして、槽内取付具（２）の筒体（２１）が取付孔（Ｈ）を通じてねじ込み固定される。これにより、両取付具（１）（２）のフランジ（１５）（２５）が、浴槽側壁における取付孔周縁部を挟持することにより、両取付具（１）（２）が浴槽側壁に貫通状態に固定される。
【００３７】
この固定状態においては、図５に示すように、槽内取付具（２）におけるフランジ（２５）の後面側に、突条リブ（２０）が形成されているため、このリブ（２０）によって緩衝部材（８４）及びパッキン（８３）が押圧変形されて、パッキン（８３）とフランジ（２５）との間のシール部の密着面積が増大するとともに、シール部における水分の浸入経路が複雑になり、シール部の水密性を向上させることができる。更にリブ形成部周辺において、パッキン（８３）のフランジ側及び浴槽壁面側に対する密着力が高められ、浴槽壁面及びフランジ（２５）間の水密性をより一層向上させることができる。
【００３８】
また、槽内取付具（２）を槽外取付具（１）にねじ込み固定する際には、リブ（２０）が緩衝部材（８４）を介してパッキン（８３）に圧接させるものであるため、パッキン（８３）が引き裂かれる等の不具合を確実に防止することができる。すなわち、槽内取付具（２）のねじ込み操作時に、リブ（２０）が直接パッキン（８３）に接触する場合には、リブ（２０）がパッキン（８３）に対し高い圧力で接触した状態で摺動するため、リブ（２０）によってパッキン（８３）が擦り切れたり、切り裂かれたりする恐れがある。これに対し、本実施形態においては、リブ（２０）を緩衝部材（８４）を介してパッキン（８３）に圧接させるものであるため、リブ（２０）の圧接によるパッキン（８３）への応力を緩衝部材（８４）により分散して吸収できるので、応力の局部集中を回避でき、パッキン（８３）の切り裂き（ねじ切れ）等を有効に防止することができる。
【００３９】
図６ないし図１２に示すように、装置本体（１０）の流路形成部材（３）は、流路形成部材本体（４）と、蓋体（６）とを備えている。
【００４０】
流路形成部材本体（４）は、硬質合成樹脂の一体成形品からなり、細長円筒形状の筒体（４１）と、その一端に設けられた区画室部材（５）とを有している。
【００４１】
筒体（４１）は、上記槽外取付具（１）における内筒体（１１）の内部に適合状態に挿入できる大きさに形成されている。
【００４２】
区画室部材（５）は、筒体（４１）の一端に設けられた円板状の底壁（５１）と、その底壁（５１）の前面側外周を囲うようにして設けられた外周壁（５２）とを一体に有している。この区画室部材（５）は、径方向の大きさが上記槽内取付具（２）のフランジ（２５）とほぼ同じ大きさに形成されている。
【００４３】
図６及び図７に示すように、区画室部材（５）は、その前面側に複数の仕切壁（５３）が一体に形成されて、区画室部材（５）の内部が３つの室（５ａ）〜（５ｃ）に区分けされている。このうち第１区画室（５ａ）は、図７に示すように区画室部材（５）の略中心部から右上部にかけての領域に形成されるとともに、第２区画室（５ｂ）は、略左上部の領域に形成されている。更に排出室（５ｃ）は、中心部左寄りの部分から下方斜め右寄りの部分にかけての領域に形成されている。なお、図７においては、発明の理解を容易にするため、仕切壁（５３）が形成されている部分にハッチングを施しておく。
【００４４】
区画室部材（５）における第１及び第２区画室（５ａ）（５ｂ）間は、互いに独立して非連通状態に形成されている。更に第１区画室（５ａ）と吐出室（５ｃ）との間は第１吐出弁設置口（５３ａ）を介して連通されるとともに、第２区画室（５ｂ）と吐出室（５ｃ）との間は第２吐出弁設置口（５３ｂ）を介して連通されている。
【００４５】
なお、仕切壁（５３）における吐出弁設置口（５３ａ）（５３ｂ）の両側部には、後述する弁部材（７ａ）（７ｂ）を支持するための凹段部（５４）（５４）がそれぞれ形成されている。
【００４６】
区画室部材（５）の第１区画室（５ａ）内における底壁（５１）には、筒体（４１）の内部に連通する第１開口（５１ａ）が形成されており、第１区画室（５ａ）が、後述するように第１流路（Ａ）に連通される。更に第２区画室（５ｂ）内における底壁（５１）には、筒体（５１）の外部に連通する第２開口（５１ｂ）が形成されており、第２区画室（５ｂ）が、後述するように第２流路（Ｂ）に連通される。
【００４７】
区画室部材（５）の外周壁（５２）における下部の側方寄りの位置には、吐出口（５５）が形成され、この吐出口（５５）介して吐出室（５ｃ）が外部に開放されている。
【００４８】
また図７及び図８に示すように、区画室部材（５）における底壁（５１）の後面側外周部には、上記槽内取付具（２）の複数のビス受け用ボス（２６）にそれぞれ対応して、各ボス（２６）を収納可能なボス受け凹部（５７）が周方向に所定の間隔おきに形成されている。更に区画室部材（５）における底壁（５１）の前面側外周部には、ボス受け凹部（５７）のいずれか３つに対応して、軸心方向に延びる３つの筒状のビス挿通部（５６）が周方向に等間隔おきに形成されている。
【００４９】
図９及び図１０に示すように、区画室部材（５）の外周壁（５２）には、汎用工具係合孔（汎用工具係合部）としてのドライバー軸係合孔（１００）が形成されている。この孔（１００）は、外周壁（５２）の外周面において開口し、区画室部材（５）の内部に向かって延びるように袋小路状に形成されるとともに、孔（１００）の内部が区画室部材（５）の内部に対し水密状態に仕切られている。更にこのドライバー軸係合孔（１００）は、その軸心が、流路形成部材（３）の軸心（Ｘ）に対し、直交するよう形成されている。
【００５０】
このドライバー軸係合孔（１００）は、汎用工具としてのスクリュードライバー（１１０）のドライバー軸（１１１）を挿入し得るよう構成されるとともに、その挿入状態においては、ドライバー軸（１１１）が係合孔（１００）の内周面に係合することにより、ドライバー（１１０）を流路形成部材（３）の軸心（Ｘ）回り方向（周方向）に係合し得るよう構成されている。
【００５１】
図１１及び図１２に示すように、蓋体（６）は、区画室部材（５）の前面開口部に対応する円板状の硬質合成樹脂成形品をもって構成されている。
【００５２】
この蓋体（６）には、上記区画室部材（５）の第１吐出弁設置口（５３ａ）に対応して、第１吸込弁設置口としての矩形状の第１吸込口（６ａ）が形成されるとともに、第２吐出弁設置口（５３ｂ）の近傍に対応して、第２吸込弁設置口としての矩形状の第２吸込口（６ｂ）が形成されている。
【００５３】
また、蓋体（６）の後面側には、第１及び第２吐出弁設置口（５３ａ）（５３ｂ）に対応して、弁取付溝（６１ａ）（６１ｂ）が形成されている。
【００５４】
更に蓋体（６）の裏面側には、区画室部材（５）の３つのビス挿通部（５６）に対応して、軸心方向に沿って延びる筒状の３つのビス挿通部（６６）がそれぞれ形成されている。
【００５５】
なお蓋体（６）の裏面側には、区画室部材（５）の仕切壁（５３）の上端やビス挿通部（５６）の上端を位置決め状態に収容するための溝（６９）が形成されている。
【００５６】
そして図１ないし図３に示すように、蓋体（６）及び流路形成部材本体（４）が、３本のタッピングビス（３７）によって上記槽内取付具（２）に組付固定される。すなわち、流路形成部材本体（４）の筒体（４１）が槽内取付具（２）の筒体（２１）を通じて、槽外取付具（１）の内筒体（１１）の筒孔に、上記オーリング（８１）を介して適合状態に挿入されるとともに、流路形成部材本体（４）ボス受け凹部（５７）内に槽内取付具（２）のボス（２６）が挿入されることにより、流路形成部材本体（４）の３つのビス挿通部（５６）が、槽内取付具（２）の複数のボス（２６）のうち、対応するいずれか３つのボス（２６）に適合される。更に蓋体（６）のビス挿通部（６６）が流路形成部材本体（４）のビス挿通部（５６）にそれぞれ適合状態に挿入されて、蓋体（６）が流路形成部材本体（４）の前面開口部に閉塞状に配置される。その状態で、蓋体（６）の前面側からビス（３７）が、ビス挿通部（６６）（５６）に挿通されて、対応するボス（２６）にねじ止め固定される。これにより、蓋体（６）が流路形成部材本体（４）に固定されて、流路形成部材（３）が組み付けられると同時に、その流路形成部材（３）が槽内取付具（２）に固定される。
【００５７】
この固定状態においては、槽外取付具（１）の内筒体（１１）の内部が、流路形成部材（３）の筒体（４１）の内部が連通して、第１流路（Ａ）として構成されるとともに、その第１流路（Ａ）が第１開口（５１ａ）を介して第１区画室（５ａ）に連通されている。更に槽外取付具（１）の内外筒体（１１）（１２）間が、槽内取付具（２）の筒体（２１）及び流路形成部材（４）の筒体（４１）間に連通して、第２流路（Ｂ）が構成されるとともに、その第２流路（Ｂ）が第２開口（５１ｂ）を介して第２区画室（５ｂ）に連通されている。
【００５８】
また、この組付状態においては、装置本体（１０）の前部（流路形成部材の前部）、すなわち区画室部材（５）及び蓋体（６）が、浴槽内側面よりも内方に突出した状態に配置されている。
【００５９】
なお図３に示すように、流路形成部材（３）における区画室部材（５）の後面側外周縁部と、槽内取付具（２）におけるフランジ（３５）の外周縁部との間には、平板リング状の合成ゴム製パッキン（８５）が介装されて、その間の水密が図られるよう構成されている。
【００６０】
また流路形成部材（３）の区画室部材（５）及び蓋体（６）には、その外周面に、フィルター部材取付用の３つの鉤状溝（３６）が形成されている。
【００６１】
一方、図１３ないし図１６に示すように、流路形成部材（３）に設けられる弁部材（７ａ）（７ｂ）は、合成ゴムの一体成形品をもって構成されている。この弁部材（７ａ）（７ｂ）は、断面略Ｌ字型に形成されており、その一片（水平片）が矩形板状の吐出弁（７１）として構成されるとともに、他片（垂直片）が矩形板状の吸込弁（７２）として構成されている。更に吐出弁（７１）及び吸込弁（７２）との間の連結部には、略角棒状の弁支持軸（７３）が設けられている。
【００６２】
吐出弁（７１）の上面側には、流路形成部材（３）の第１及び第２吐出弁設置口（５３ａ）（５３ｂ）の内周縁部に対応して、リブ（７１ａ）が形成されるとともに、吸込弁（７２）の前面側には、蓋体（６）の第１及び第２吸込口（６ａ）（６ｂ）の内周縁部に対応して、リブ（７２ａ）が形成されている。
【００６３】
この弁部材（７）（７）における弁支持軸（７３）の前部が、流路形成部材（３）における蓋体裏面の弁取付溝（６１ａ）（６１ｂ）に嵌着されるとともに、弁支持軸（７３）の両側端部が、流路形成部材（３）における第１及び第２吐出弁設置口（５３ａ）（５３ｂ）両側の凹段部（５４）（５４）に嵌着される（図７参照）。これにより図１３に示すように、自然状態においては、弁部材（７ａ）（７ｂ）の吐出弁（７１）（７１）が、吐出弁設置口（５３ａ）（５３ａ）を吐出室（５ｃ）側から閉塞するように配置されるとともに、吸込弁（７２）（７２）が、吸込口（６ａ）（６ｂ）を区画室（５ａ）（５ｂ）側から閉塞するように配置される。このとき、吐出弁（７１）（７１）は、その外周縁部が吐出室（５ｃ）側における吐出弁設置口（５３ａ）（５３ｂ）の周縁部（弁座部）に弾性力により密着しており、吐出室（５ｃ）側から区画室（５ａ）（５ｂ）側に温水が流れ込もうとした際には、その水圧によって、吐出弁（７１）（７１）の吐出弁設置口（５３ａ）（５３ｂ）に対する閉塞状態が維持されて、その方向の温水の流通が規制されるとともに、逆に、区画室（５ａ）（５ｂ）側から吐出室（５ｃ）側に温水が流れ込もうとした際には、その水圧によって、吐出弁（７１）（７１）が吐出室（５ｃ）側に弾性変形することにより、吐出弁設置口（５３ａ）（５３ｂ）が開放されて、その方向の温水の流通が許容されるよう構成されている。従って弁部材（７ａ）（７ｂ）の吐出弁（７１）（７１）は、吐出室（５ｃ）に対し、温水の排出方向の流通は許容し、かつ吸込方向の流通は阻止する逆止弁として機能する。
【００６４】
更に弁部材（７ａ）（７ｂ）の吸込弁（７２）（７２）は、その外周縁部が区画室（５ａ）（５ｂ）側における吸込口（６ａ）（６ｂ）の周縁部（弁座部）に弾性力により密着しており、区画室（５ａ）（５ｂ）側から外部に温水が流れ出そうとした際には、その水圧によって、吸込弁（７２）（７２）の吸込口（６ａ）（６ｂ）に対する閉塞状態が維持されて、その方向の温水の流通が規制されるとともに、逆に、外部から区画室（５ａ）（５ｂ）側に温水が流れ込もうとした際には、その水圧によって、吸込弁（７２）（７２）が内側に弾性変形することにより、吸込口（６ａ）（６ｂ）が開放されて、その方向の温水の流通が許容されるよう構成されている。従って、弁部材（７ａ）（７ｂ）の吸込弁（７２）（７２）は、区画室（５ａ）（５ｂ）に対し、温水の吸込方向の流通は許容し、かつ吐出方向の流通は阻止する逆止弁として機能する。
【００６５】
なお、図１３ないし図１６に示すように、弁部材（７）における弁支持軸（７３）の前面側には、嵌合溝（７３ａ）が形成されるとともに、その溝（７３ａ）に対応して蓋体（６）の裏面側には、嵌合突起（６３）が形成されており、この嵌合突起（６３）が嵌合溝（７３ａ）に嵌着されている。更に弁部材（７ａ）（７ｂ）における吸込弁（７２）の基端部には、嵌合孔（７２ｂ）が形成されるとともに、その孔（７２ｂ）に対応して、蓋体（６）の裏面側には、嵌合突起（６２）が形成されており、この嵌合突起（６２）が嵌合孔（７２ｂ）に嵌着されている。
【００６６】
一方、図１ないし図３、図１７に示すように、フィルター部材（９）は、流路形成部材（３）における蓋体（６）の前面から区画室部材（５）の外周側面を覆うように配置されるもので、外装体（９１）と、内枠体（９２）と、フィルター本体（９３）とを備えている。
【００６７】
外装体（９１）は、装置本体（３）の前面側を覆う円板状の前面カバーと、その前面カバーの周縁部に沿って設けられ、かつ装置本体前部（区画室部材）の外周側面を覆う側面カバーとを有するステンレス等の金属のプレス成形品をもって構成されている。
【００６８】
フィルター本体（９３）は、略円板形状の金属製メッシュシートからなり、外装体（９１）の内部における前面カバー裏面側に配置される。
【００６９】
内枠体（９２）は、略円板形状を有し、外装体（９１）の内部における前面カバーの裏面側にフィルター本体（９３）を介して嵌着固定され、これにより、フィルター本体（９３）が、外装体（９１）と内枠体（９２）とに挟持される。
【００７０】
また、外装体（９１）の前面カバーには、前後に貫通する複数の吸込用開口（９５）が放射状に形成されている。
【００７１】
更に図２及び図３に示すように外装体（９３）の側面カバーには、流路形成部材（３）の吐出口（５５）に対応して、吐出用開口（９７）が形成されている。
【００７２】
また外装体（９１）における内周側面には、流路形成部材（３）の外周面に設けられた３つの鉤状溝（３６）に対応して、３つの係合突起（９６）が内方突出状に形成されている。そして、この係合突起（９６）が鉤状溝（３６）に挿入係合されることにより、フィルター部材（９）が、流路形成部材（３）に着脱自在に取り付けられている。
【００７３】
なお、この取付状態においては、フィルター部材（９）の吐出用開口（９７）が、流路形成部材（３）の吐出口（５５）に適合して配置される。
【００７４】
本実施形態において、温水口装置（Ｐ）の浴槽（Ｔ）への組付手順は特に限定されるものではないが、例えば、以下のようにして組み付けられる。
【００７５】
まず始めに、流路形成部材（３）を槽内取付具（２）に取り付けて、装置本体（１０）を組み付けておく。すなわち、上記したように流路形成部材（３）における蓋体（６）に弁部材（７ａ）（７ｂ）をセットし、その弁付き蓋体（６）を流路形成部材本体（４）における区画室部材（５）の前面開口部に配置する。その状態で、ビス（３７）を、蓋体（６）の前面側からビス挿通部（６６）（５６）に挿通して、ボス（２６）にねじ込んで固定する。
【００７６】
なお、弁部材（７ａ）（７ｂ）は、搬送時や組付時等における脱落を防止するため、予め蓋体（６）や流路形成部材本体（４）に接着剤等を用いて接着固定しておいても良い。
【００７７】
続いて、浴槽（Ｔ）の側壁外面側における取付孔（Ｈ）に対応する位置に、槽外取付金具（１）を配置する一方、上記の装置本体（１０）の槽内取付具（２）におけるフランジ（１５）の後面側に緩衝部材（８４）及びパッキン（８３）を配置しておいて、その状態で装置本体（１０）における槽内取付具（２）の筒体（２１）を、浴槽（Ｔ）の内側から取付孔（Ｈ）に挿通して槽外取付具（１）の外筒体（１２）にねじ込んで固定する。
【００７８】
このねじ込み作業を行う際には、まず手作業で装置本体（１０）側の筒体（２１）を槽外取付具（１）の外筒体（１２）に軽くねじ込んで仮止めする。その後、図１０に示すように、スクリュードライバー（１１０）のドライバー軸（１１１）を装置本体（１１）におけるドライバー軸係合孔（１００）に挿入して係合し、そのドライバー（１１０）の把持部（１１２）を手で持って、ドライバー（１１０）を装置本体（１０）と共に軸心回り回転させる。このようにドライバー（１１０）を介して装置本体（１０）を回転操作することにより、装置本体（１０）に十分な回転モーメントを得ることができ、装置本体（１０）の筒体（２１）を槽外取付具（１）の外筒体（１２）に強固にねじ込んで固定することができる。
【００７９】
続いて、流路形成部材（３）にフィルター部材（９）を被せて取り付けることにより、温水口装置（Ｐ）の浴槽（Ｔ）への組付作業が完了する。
【００８０】
なお、温水口装置（Ｐ）の組付手順は、上記のものに限られず、例えば槽外取付具（１）と槽内取付具（２）とを浴槽壁部に組み付けた後、両取付具（１）（２）に弁付きの流路形成部材（３）をビス止め固定するようにしても良い。
【００８１】
こうして浴槽（Ｔ）に組み付けられた温水口装置（Ｐ）においては、槽外取付具（１）の外管接続部（１ａ）（１ｂ）に、室外給湯機からの配管が連結されて、浴槽システムが形成される。
【００８２】
この浴槽システムにおいて、浴槽（Ｔ）内に温水を供給して貯湯する場合には、２つの外管接続部（１ａ）（１ｂ）の双方に温水を供給して、２つの流路（Ａ）（Ｂ）の両方が浴槽（Ｔ）に温水を供給する吐出流路として利用される。すなわち温水が流路（Ａ）（Ｂ）を通って、流路形成部材（３）の２つの区画室（５ａ）（５ｂ）内に流入された際には、その水圧によって、弁部材（７）（７）の吐出弁（７１）（７１）が開放されて、温水が区画室（５ａ）（５ｂ）内から吐出室（５ｃ）に流入して合流し、流路形成部材（３）の吐出口（５５）及びフィルター開口（９７）を通って、浴槽（Ｔ）の内部に供給される。
【００８３】
なお、この貯湯処理によって、浴槽（Ｔ）内の湯面が温水口装置（Ｐ）よりも上方に達したとしても、温水の逆流は防止される。すなわち、温水が流路形成部材（３）の区画室（５ａ）（５ｂ）を流通する際には、その水圧によって、弁部材（７）（７）の吸込弁（７２）（７２）は、吸込口（６ａ）（６ｂ）に密着して閉じられるため、浴槽内の温水が、吸込口（６ａ）（６ｂ）を流通するのが阻止され、温水の温水口装置（Ｐ）内への逆流が防止される。
【００８４】
一方、浴槽（Ｔ）内の温水を再加熱するような追い焚き処理を行う場合には、温水口装置（Ｐ）の２つの流路（Ａ）のうち、室外給湯機の往き管に接続された側の流路が吐出流路として機能し、戻り管に接続された側の流路が吸込流路として機能して、いわゆる強制循環が行われる。例えば第１流路（Ａ）が吐出流路、第２流路（Ｂ）が吸込流路となるように配管接続された場合には、給湯機から供給される温水は、第１流路（Ａ）を通って第１区画室（５ａ）に流入され、吐出弁（７１）を開いて、排出室（５ｃ）に流入されて、吐出口（５５）及びフィルター開口（９７）を介して浴槽（Ｔ）内に供給される。
【００８５】
また吸込流路においては、室外給湯機の戻り管及び第２流路（Ｂ）の負圧に伴い、第２区画室（５ｂ）が負圧となる。このため、浴槽（Ｔ）内の水圧によって、流路形成部材（３）における第２吸込口（６ｂ）の吸込弁（７２）が開放して、浴槽（Ｔ）内の温水がフィルター部材（９）を介して第２吸込口（６ｂ）を通って第２区画室（５ｂ）内に流入されて、更に第２流路（Ｂ）を通って室外給湯機に戻される。
【００８６】
なお、温水口装置（Ｐ）の２の流路（Ａ）（Ｂ）が、室外給湯機の往き管及び戻り管に対し、上記とは逆に接続した場合には、各流路（Ａ）（Ｂ）を温水が上記とは逆方向に流通して、強制循環されるものである。
【００８７】
こうして浴槽（Ｔ）内の温水が循環されて、追い焚き処理が行われる。
【００８８】
以上のように、本実施形態の浴槽用温水口装置（Ｐ）によれば、装置本体（１０）の外周壁（５２）に、ドライバー軸係合孔（１００）を形成するものであるため、装置本体（１０）を槽外取付具（１）にねじ込む際に、ドライバー（１００）の軸（１１１）を装置本体（１０）の係合孔（１００）に挿入係合し、その状態でドライバー（１００）の把持部（１１２）を手で持って、ドライバー（１１０）と共に装置本体（１０）を回転させることにより、装置本体（１０）を強い回転トルクで槽外取付具（１）にねじ込み固定することができ、装置本体（１０）を強固に確実に組み付けることができる。
【００８９】
しかも、装置本体（１０）をねじ込み固定する際に、汎用工具としてのスクリュードライバー（１１０）を用いるものであるため、専用の工具を用いる必要がなく、その分、準備や使用方法等に余分な労力を費やすことがなく、組付作業を効率良く簡単に行うことができる。
【００９０】
特に本実施形態においては、装置本体（１０）における流路形成部材（３）にドライバー軸係合孔（１００）を形成するものであるため、流路形成部材（３）を槽内取付具（２）にビス止め固定して、装置本体（１０）を組み立てた後、その装置本体（１０）を槽外取付具（１）にねじ込むことができるので、例えば従来のように、槽内取付具（２）を槽外取付具（１）にねじ込み固定した後、流路形成部材（３）を槽内取付具（２）にビス止め固定する場合と比較して、組付作業をより一層効率良く行うことができる。すなわち従来のように、浴槽壁面に組み付けられた槽内取付具（２）に、流路形成部材（３）をビス止めする場合には、そのビス止め作業を浴槽内における狭い作業スペース内で行う必要があるため、作業者にとって多大な負担を強いられて、組付作業を効率良く行うことが困難である。
【００９１】
これに対し、本実施形態のように、流路形成部材（３）を槽内取付具（２）にビス止めして装置本体（１０）を組み立てた後、その装置本体（１０）を槽外取付具（１）にねじ込む場合には、流路形成部材（３）の槽内取付具（２）へのビス止め作業を、組付現場以外の適当な場所で行うことができるので、作業者は余裕を持って正確に流路形成部材（３）を槽内取付具（２）にビス止めすることができ、ひいては温水口装置（Ｐ）の組付作業を、より一層効率良く簡単に行うことができる。更に本実施形態において、現場到着前にあらかじめ流路形成部材（３）を槽内取付具（２）にビス止めして装置本体（１０）を組み付けておく場合には、装置本体（１０）の組付を現場で行う必要がなく、現場での組付作業を更に効率良く行うことができる。
【００９２】
なお、従来の温水口装置において、流路形成部材を槽内取付具にビス止め装置本体を組み立てた後、その装置本体を浴槽壁部に組み付けることは実質的に不可能である。すなわち、従来においては、単独状態の槽内取付具を、ねじ込み操作用の専用工具を用いて、槽外取付具にねじ込むように構成しているため、槽内取付具に流路形成部材を組み付けた状態では、上記専用工具を用いることができず、槽内取付具を槽外取付具にねじ込むことができなくなってしまう。従って、従来の温水口装置では、上記したように、槽内取付具（２）を浴槽壁部に組み付けた後、その槽内取付具（２）に流路形成部材（３）をビス止めする必要があり、槽内取付具（２）に流路形成部材（３）をビス止めする前に、槽内取付具（２）を槽外取付具（１）にねじ込み固定しておく必要がある。
【００９３】
一方、本実施形態の温水口装置（Ｐ）においては、吐出弁（７１）及び吸込弁（７２）を一体に有する弁部材（７ａ）（７ｂ）を用いるものであるため、部品点数を削減できて、構造の簡素化を図ることができ、コストの削減を図ることができる。
【００９４】
更に弁部材（７ａ）（７ｂ）を装置本体（１０）に組み付けるだけで、第１及び第２吐出弁（７１）、第１及び第２吸込弁（７２）の４つの弁を組み付けることができ、組付工程数を削減できて、組付作業を容易に行うことができ、より一層コストの削減を図ることができる。
【００９５】
しかも、弁部材（７ａ）（７ｂ）における吐出弁（７１）及び吸込弁（７２）間の連結部に弁支持軸（７３）を形成して、その軸（７３）を装置本体（１０）に組み付けるものであるため、弁部材（７ａ）（７ｂ）を安定状態に組み付けることができ、吐出弁（７１）及び吸込弁（７２）に高い動作信頼性を得ることができて、品質を向上させることができる。
【００９６】
また実施形態においては、装置本体（１０）の前面から浴槽内に温水を吐出して、周側面から浴槽内の温水を吸い込むようにした側方吐出／前面吸込方式を採用するものであるため、例えば貯湯時には、温水が浴槽内面に沿って滑らかに供給することができ、吐出される温水の飛散による音の発生を防止でき、静かに湯はりを行える。更に、追い焚き時には、吐出される温水が浴槽内面に沿ってその内周面全域に温水が行き渡るとともに、浴槽中央部の温水が装置内に吸い込まれることにより、浴槽内を温水が大きく安定して循環し、例えば吐出された温水が、循環せずに装置内に吸い込まれるような不具合（ショートサイクル）を有効に防止することができ、追い焚き処理を効率良くスムーズに行うことができる。
【００９７】
また本実施形態においては、装置本体（１０）に排出室（５ｃ）を形成して、２つの区画室（５ａ）（５ｂ）から流出される温水を、一旦、吐出室（５ｃ）に導入してから、１つの吐出口（５５）を介して浴槽内に吐出するものであるため、例えば２つの区画室から別々に温水を槽内に吐出する場合と比較して、温水吐出時の流速や方向性等を制御し易くなり、温水を効率良くスムーズに吐出することができる。
【００９８】
更に貯湯時等において、第１及び第２流路（Ａ）（Ｂ）から異なる温度の温水が供給される場合、この温度差のある温水が、吐出室（５ｃ）内で十分混合されて適温状態となってから、浴槽内に吐出されるため、上記の温水循環作用も相まって、槽内の水温分布にばらつきが生じるのを有効に防止することができ、当初から、快適な入浴環境を得ることができる。
【００９９】
もっとも、本発明においては、吐出室を必ずしも設ける必要はなく、各区画室（５ａ）（５ｂ）から直接、浴槽内部に温水を吐出するようにしても良い。この場合、言うまでもなく、上記実施形態における吐出弁設置口（５３ａ）（５３ｂ）に想到する部分が、吐出口として構成されることになる。
【０１００】
また、本実施形態の温水口装置（Ｐ）によれば、槽内取付具（２）のフランジ後面を、緩衝部材（８４）及びパッキン（８３）を介して浴槽内壁面に密着するに際して、フランジ（２５）の後面側に、突条リブ（２０）を形成しているため、このリブ（２０）によって緩衝部材（８４）及びパッキン（８３）が押圧変形されて、パッキン（８３）とフランジ（２５）との間の密着面積が増大するとともに、その間の水分浸入経路が複雑になり、水密性を向上させることができる。その上更に、リブ形成部周辺において、パッキン（８３）のフランジ（２５）側及び浴槽壁面側に対する密着力が高められ、浴槽壁面及びフランジ（２５）間の水密性を一層向上させることができる。
【０１０１】
また本実施形態においては、突条リブ（２０）を２本設けるものであるため、フランジ（２５）及び浴槽壁面間におけるシール部分の密着面積を、より一層増大できるとともに、水分浸入経路を、より複雑に形成することができ、より一層水密性を向上させることができる。
【０１０２】
また本実施形態においては、槽内取付具（２）のフランジ（２５）を、緩衝部材（８４）を介してパッキン（８３）に圧接するものであるため、槽内取付具（２）を槽外取付具（１）にねじ込み固定する際に、パッキン（８３）が切り裂かれる等の不具合を確実に防止することができる。
【０１０３】
なお、上記実施形態においては、汎用工具係合孔としてドライバー軸係合孔（１００）を、流路形成部材（３）における前部外周壁（５２）に形成するようにしているが、本発明においては、汎用工具係合孔を、流路形成部材（３）の前部外表面のいずれの位置に形成するようにしても良い。例えば図１８に示すように、ドライバー軸係合孔（１００）を流路形成部材（３）の蓋体（６）に設けるようにしても良い。この場合、ドライバー軸係合孔（１００）の軸心を、流路形成部材（３）の軸心に対し傾斜させることができるため、係合孔（１００）にドライバー（１１０）を差し込んだ際に、ドライバー（１１０）の把持部（１１２）が浴槽内壁面から十分に間隔をおいた状態で傾斜して配置される。従って、ドライバー（１１０）の把持部周辺に十分なスペースを確保することができ、例えば把持部（１１２）を手で持って、ドライバー（１１０）及び流路形成部材（装置本体）をねじ込み操作する際に、作業者の手が浴槽内壁面に干渉するような不具合を有効に防止することができ、なお一層、効率良くスムーズに装置本体（１０）のねじ込み作業を行うことができる。
【０１０４】
また、上記実施形態においては、吐出弁と吸込弁とを一体に形成する場合を例に挙げて説明したが、本発明はそれだけに限られず、２つの吐出弁を一体に形成したり、あるいは２つの吸込弁を一体に形成するようにしても良く、要は、４つの弁のうち、２つ以上の弁が一体に形成されてさえいれば良い。
【０１０５】
また上記実施形態においては、槽内取付具のフランジに設けられる突条部（突条リブ）を２本設ける場合について説明したが、本発明において、突条部は１本だけ設けても良いし、３本以上設けるようにしても良い。
【０１０６】
更に突条部は、周方向に沿って必ずしも連続させる必要はなく、断続的に設けるようにしても良い。
【０１０７】
また上記実施形態においては、吐出口を１つ設ける場合について説明したが、本発明は、２つ以上の吐出口を有する温水口装置にも適用することができる。
【０１０８】
更に上記実施形態においては、本発明を無極性タイプの温水口装置に適用した場合を例に挙げて説明したが、本発明は、給湯機につながる往き管及び戻り管が予め設定されている温水口装置にも適用することができる。
【０１０９】
また上記実施形態においては、フィルター部材の外周側面から温水を吐出するように構成しているが、本発明は、フィルター部材と浴槽内壁面との隙間から温水を吐出するように構成しても良い。
【０１１０】
更に上記実施形態においては、強制循環タイプの追い焚き可能な装置を例に挙げて説明したが、本発明は、湯はり等の貯湯処理のみを行う温水口装置にも適用することができる。
【０１１１】
【発明の効果】
以上のように、本発明の浴槽用温水口装置によれば、装置本体の前部に汎用工具係合孔を形成するものであるため、装置本体を浴槽壁部の取付孔を通じて槽外取付具にねじ込む際に、装置本体の汎用工具係合孔にスクリュードライバー等の汎用工具を挿入係合し、その汎用工具を利用して装置本体を槽外取付具にねじ込むことにより、専用の工具を用いずに、装置本体を強固に確実に組み付けることができる。従って、専用工具の準備や使用方法等に余分な労力を費やす必要がなく、組付作業を効率良く簡単に行うことができるという効果がある。
【図面の簡単な説明】
【図１】この発明の実施形態である浴槽用温水口装置を示す断面図である。
【図２】実施形態の温水口装置を分解して示す断面図である。
【図３】実施形態の温水口装置を分解して示す斜視図である。
【図４】実施形態の温水口装置における槽内取付具を裏面側から見た状態で示す斜視図である。
【図５】実施形態の温水口装置における槽内取付具と浴槽内面との間のシール部を拡大して示す断面図である。
【図６】実施形態の温水口装置における流路形成部材を分解して示す斜視図である。
【図７】実施形態における流路形成部材の本体を示す正面図である。
【図８】実施形態の流路形成部材本体を示す背面図である。
【図９】実施形態の流路形成部材本体を示す側面図
【図１０】実施形態における流路形成部材のねじ込み操作を説明するための斜視図である。
【図１１】実施形態における流路形成部材の蓋体を示す正面図である。
【図１２】実施形態の流路形成部材の蓋体を示す背面図である。
【図１３】実施形態の温水口装置における弁部材周辺を拡大して示す断面図である。
【図１４】実施形態の温水口装置における弁部材を示す断面図である。
【図１５】実施形態の弁部材を示す正面図である。
【図１６】実施形態の弁部材を示す下面図である。
【図１７】実施形態の温水口装置を示す正面図である。
【図１８】この発明の変形例である温水口装置の流路形成部材を示す斜視図である。
【符号の説明】
１…槽外取付具
２…槽内取付具
３…流路形成部材
１０…装置本体
１００…ドライバー軸係合孔（汎用工具係合孔、汎用工具係合部）
１１０…スクリュードライバー（汎用工具）
１１１…ドライバー軸
１１２…把持部
Ｐ…浴槽用温水口装置
Ｔ…浴槽
Ｈ…取付孔
【図１】
2004333057.tif 000003
【図２】
2004333057.tif 000004
【図３】
2004333057.tif 000005
【図４】
2004333057.tif 000006
【図５】
2004333057.tif 000007
【図６】
2004333057.tif 000008
【図７】
2004333057.tif 000009
【図８】
2004333057.tif 000010
【図９】
2004333057.tif 000011
【図１０】
2004333057.tif 000012
【図１１】
2004333057.tif 000013
【図１２】
2004333057.tif 000014
【図１３】
2004333057.tif 000015
【図１４】
2004333057.tif 000016
【図１５】
2004333057.tif 000017
【図１６】
2004333057.tif 000018
【図１７】
2004333057.tif 000019
【図１８】
2004333057.tif 000020